(57)【要約】【課題】１つのアンテナで水平偏波及び垂直偏波の両方に対応可能であり、部品点数や製造工数の増加を発生させることのないアンテナを備えた電子機器を提供する。【解決手段】電子機器の導電性筐体もしくは導電性フレームの角部の直交する２辺に設けられたスロットで構成される第一スロットアンテナS1と、前記２辺と直交する辺を有し、前記角部とは異なる導電性筐体もしくは前記導電性フレームの角部の直交する２辺に設けられたスロットで構成される第二スロットアンテナS2と、前記第一スロットアンテナS1と前記第二スロットアンテナS2とに接続された無線通信回路と、を有することを特徴とする。【選択図】図４
2010187107.tif 000002
【特許請求の範囲】
【請求項１】
電子機器の導電性筐体の角部で直交する水平辺と垂直辺との２辺に設けられたスロットで構成されるスロットアンテナと、
電子機器の導電性筐体もしくは導電性フレームの角部の直交する２辺に設けられたスロットで構成されるスロットアンテナと、
前記スロットアンテナに接続された無線通信回路と、
を有することを特徴とする電子機器。
【請求項２】
電子機器。
【請求項３】
前記電子機器の使用状態において、
前記第二スロットアンテナが設けられる前記角部は、少なくとも、前記第一スロットアンテナが設けられた前記角部における前記２辺と直交する辺を有する、
ことを特徴とする請求項２に記載の電子機器。
【請求項４】
前記電子機器は、医療機器であり、
該医療機器のいずれかの角部に、前記スロットアンテナが配置されている、
ことを特徴とする請求項１〜３のいずれか一項に記載の電子機器。
【請求項５】
前記電子機器は、事務用電子機器であり、
該事務用電子機器の開閉可能な可動部の自由端の角部に、前記スロットアンテナが配置されている、
ことを特徴とする請求項１〜３のいずれか一項に記載の電子機器。
【発明の詳細な説明】
【技術分野】
【０００１】
本発明は、無線通信用のスロットアンテナを備えた電子機器に関する。
【背景技術】
【０００２】
近年、パーソナルコンピュータ、複写機、プリンタ装置等の電子機器に無線通信機能を持たせ、ＬＡＮ（ローカル・エリア・ネットワーク）を無線化した無線ＬＡＮなどがオフィスや家庭などで普及している。
【０００３】
また、医療機器の分野においても、電子カルテシステムへの対応のためと、病院内の機器の移動のために、無線ＬＡＮ対応が望まれている。
例えば、特許文献１には、アンテナ素子を構成し、そのアンテナ素子をノート型パソコンに設ける技術が記載されている。
【０００４】
また、特許文献２においても、アンテナ素子を構成し、そのアンテナ素子をノート型パソコンの蓋部の端面に配置し、無指向性を実現するアンテナを設ける技術が記載されている。
【先行技術文献】
【特許文献】
【０００５】
【特許文献１】特開２００４−１０４３３３号公報
【特許文献２】特開２００３−３１８６２２号公報
【発明の概要】
【発明が解決しようとする課題】
【０００６】
アンテナから送受信される電波は、そのアンテナの設置状況に応じて垂直偏波であるか水平偏波であるかが変わってくる。そこで、偏波によらず電波の送受信を行うために、電子機器に設置するアンテナは垂直偏波及び水平偏波の両方に対応したものであることが好ましい。
【０００７】
しかしながら、特許文献１及び特許文献２に記載の発明では、アンテナの構造上、垂直偏波又は水平偏波のどちらか一方にのみ対応したアンテナであるため、１つのアンテナでは垂直偏波及び水平偏波の両方に対応することができず、垂直偏波及び水平偏波の両方に対応するためには、複数個のアンテナを設ける必要があるという問題がある。
【０００８】
また、アンテナ素子を別部品として製造し、電子機器の筐体に配置する必要があり、部品点数の増加、部品（アンテナ）取り付けの製造工数の増加が発生し、製造コストや信頼性に問題を発生している。
【０００９】
また、アンテナの無指向性を実現する場合、一般的にはＸＹ平面（水平面）内だけを想定しているが、機器の配置、アンテナが設置された箇所の向きなどにより、ＸＹ平面内だけの無指向性であると、実際の電子機器の使用状態において無指向性を実現することができない問題がある。
【００１０】
本発明の第一の目的は、１つのアンテナで水平偏波及び垂直偏波の両方に対応可能であり、部品点数や製造工数の増加を発生させることのないアンテナを備えた電子機器を提供することである。
【００１１】
本発明の第二の目的は、最低限の素子で水平偏波及び垂直偏波の両方に対応しつつ無指向性を実現可能であり、部品点数や製造工数の増加を発生させることのないアンテナを備えた電子機器を提供することである。
【課題を解決するための手段】
【００１２】
すなわち、前記した課題は、以下に列記する各発明によって解決される。
（１）この発明は、電子機器の導電性筐体もしくは導電性フレームの角部の直交する２辺に設けられたスロットで構成されるスロットアンテナと、前記スロットアンテナに接続された無線通信回路と、を有することを特徴とする電子機器である。
【００１３】
（２）この発明は、電子機器の導電性筐体もしくは導電性フレームの角部の直交する２辺に設けられたスロットで構成される第一スロットアンテナと、前記２辺と直交する辺を有し、前記角部とは異なる導電性筐体もしくは前記導電性フレームの角部の直交する２辺に設けられたスロットで構成される第二スロットアンテナと、前記第一スロットアンテナと前記第二スロットアンテナとに接続された無線通信回路と、を有することを特徴とする電子機器である。
【００１４】
（３）以上の（２）の発明において、前記電子機器の使用状態において、前記第二スロットアンテナが設けられる前記角部は、少なくとも、前記第一スロットアンテナが設けられた前記角部における前記２辺と直交する辺を有する、ことを特徴とする。
【００１５】
（４）以上の（１）〜（３）の発明において、前記電子機器は、医療機器であり、該医療機器のいずれかの角部に、前記スロットアンテナが配置されている、ことを特徴とする。
【００１６】
（５）以上の（１）〜（３）の発明において、前記電子機器は、事務用電子機器であり、該事務用電子機器の開閉可能な可動部の自由端の角部に、前記スロットアンテナが配置されている、ことを特徴とする。
【発明の効果】
【００１７】
（１）この発明では、電子機器の導電性筐体もしくは導電性フレームの角部で直交する水平辺と垂直辺との２辺に、Ｌ字状に設けられたスロットで構成されるスロットアンテナを備えるため、水平辺部分のスロットでは垂直偏波に対応でき、垂直辺部分のスロットでは水平偏波に対応できる。
【００１８】
また、電子機器の導電性筐体もしくは導電性フレームそのものにスロットを設けることで、筐体そのものがアンテナとなるため、部品点数や取り付け工数の増加の発生させることがない。
【００１９】
この結果、１つのアンテナで水平偏波及び垂直偏波の両方に対応可能であり、部品点数や製造工数の増加を発生させることのないアンテナを備えた電子機器を提供することが可能になる。
【００２０】
（２）この発明では、電子機器の導電性筐体もしくは導電性フレームの角部の直交する２辺に設けられたスロットで構成される第一スロットアンテナと、前記第一スロットアンテナの２辺と直交する辺を有し、前記第一スロットアンテナの角部とは異なる導電性筐体もしくは前記導電性フレームの角部の直交する２辺に設けられたスロットで構成される第二スロットアンテナとを備えるため、Ｚ軸方向のスロットではＸＹ平面の無指向性の水平偏波に対応でき、Ｘ軸方向のスロットではＺＹ平面の垂直偏波に対応でき、Ｙ軸方向のスロットではＸＺ平面の垂直偏波に対応できる。
【００２１】
また、電子機器の導電性筐体もしくは導電性フレームそのものにスロットを設けることで、筐体そのものがアンテナとなるため、部品点数や取り付け工数の増加の発生させることがない。
【００２２】
この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【００２３】
（３）なお、以上の（２）の電子機器では、該電子機器の使用状態において、第二スロットアンテナが設けられる角部は、少なくとも、第一スロットアンテナが設けられた角部における２辺と直交する辺を有するように構成されているため、機器使用状態において水平偏波及び垂直偏波の両方に対応しつつ各方向の無指向性を実現可能である。
【００２４】
（４）なお、以上の（１）〜（３）の電子機器は、医療機器であり、該医療機器において水平偏波及び垂直偏波の両方に対応可能になり、安定した通信を実現することが可能になる。
【００２５】
（５）なお、以上の（１）〜（３）の電子機器は、事務用電子機器であり、該事務用電子機器の使用時、すなわち、蓋やディスプレイなどが使用状態にされた際において水平偏波及び垂直偏波の両方に対応可能になり、使用時において安定した通信を実現することが可能になる。
【図面の簡単な説明】
【００２６】
【図１】第１実施形態に係る電子機器の概略構成を示す斜視図である。
【図２】第１実施形態におけるスロットアンテナを示す拡大図である。
【図３】第１実施形態におけるスロットアンテナの特性を示す特性図である。
【図４】第２実施形態に係る電子機器の概略構成を示す斜視図である。
【図５】第２実施形態におけるスロットアンテナを示す拡大図である。
【図６】第２実施形態におけるスロットアンテナの特性を示す特性図である。
【図７】第３実施形態に係る電子機器の概略構成を示す斜視図である。
【図８】第３実施形態におけるスロットアンテナの特性を示す特性図である。
【図９】第４実施形態に係る電子機器の概略構成を示す斜視図である。
【発明を実施するための形態】
【００２７】
以下に、本発明に係るスロットアンテナを備えた電子機器の実施形態について、図面を参照して説明する。ただし、発明の範囲を図示例に限定するものではない。
〔第１実施形態〕
以下、本発明を適用した具体的な実施の形態としての電子機器について、図面を参照しながら詳細に説明する。本実施の形態では、電子機器の具体例として事務用電子機器、すなわちノート型パソコンを例示して説明する。
【００２８】
図１は、本実施形態に係る電子機器としてのノート型パソコン１０を背面側からみた斜視図である。この図において、大地に垂直な方向をＺ方向、大地に水平な方向をＸＹ方向とする。また、ノート型パソコン１０の利用者の使用時における左右方向をＸ方向、ノート型パソコン１０の利用者の使用時における奥行き方向をＹ方向としている。
【００２９】
ノート型パソコン１０は、電子回路やキーボードなどを有する装置本体部１１と、ディスプレイを有する蓋部１２とがヒンジ部１３により連結され、該ヒンジ部１３を介して２つに折りたたみできるように構成されている。
【００３０】
装置本体部１１の上面には、文字や記号などの入力を行うためのキーボード１４が備えられている。また、装置本体部１１の内部には、無線通信回路、及び、ノート型パソコン１０の各種演算処理を行うＣＰＵ（Central Processing Unit）等が内蔵されている。
【００３１】
また、折りたたんだ際に蓋部１２のキーボード１４と対向する面には、ＬＣＤ（Liquid Crystal Display）などのディスプレイが備えられており、ＣＰＵにより処理されたデータはディスプレイに出力表示される。
【００３２】
なお、この実施形態では、ノート型パソコン１０の蓋部１２は、導電性の筐体で構成されているものとする。あるいは、筐体表面が樹脂などの非導電性の部材である場合には、その内部に導電性のフレームが存在するものとする。
【００３３】
ここで、蓋部１２の自由端の角部は、導電性筐体の側面の角部で直交する水平辺と垂直辺との２辺であるものとし、該２辺に設けられたスロットで構成されるＬ字状のスロットアンテナＳ１が形成されている。なお、図２は、以上のスロットアンテナＳ１を拡大して示す拡大図である。
【００３４】
図２に示すように、スロットアンテナＳ１は、ノート型パソコン１０の使用状態（蓋部２が開かれた状態）において、導電性筐体の角部で直交する水平辺と垂直辺との２辺に設けられたスロットで構成されるＬ字状のスロットアンテナであり、該スロットの中間部付近の２点に無線通信回路からの給電がなされるように構成されている。なお、この図２では、給電は筐体内側からなされるため、図示されていない。
【００３５】
なお、ノート型パソコン１０の蓋部１２の筐体表面が樹脂などの非導電性の部材である場合には、その内部に存在する導電性のフレームに、図１や図２と同様なスロットアンテナＳ１配置されているとする。このように、機器の導電性筐体もしくは導電性フレームそのものにスロットを設けることで、筐体そのものがアンテナとなるため、部品点数や取り付け工数の増加の発生させることがない。
【００３６】
なお、この図２のスロットアンテナＳ１では、垂直辺に配置されたＺ方向スロット（Ｓ１ｚ）は水平偏波のアンテナとして作用するものである。そして、スロットアンテナＳ１の水平偏波のＸＹ平面（水平面）における指向性は、図３（ａ）に示すごとく略無指向性となっている。
【００３７】
また、この図２のスロットアンテナＳ１では、水平辺に配置されたＸ方向スロット（Ｓ１ｘ）は垂直偏波のアンテナとして作用するものである。そして、スロットアンテナＳ１の垂直偏波はＹＺ平面には略無指向性であるが、他の機器と通信する際に有効なＸＹ平面（水平面）における指向性は、図３（ｂ）に示すごとく、Ｙ方向に指向性を有し、Ｘ方向には感度を有しない状態になっている。
【００３８】
そして、また、スロットアンテナＳ１は、装置本体部１１に内蔵された無線通信回路と接続されており、無線通信回路は、ＲＦ（Radio Frequency：高周波）回路、ＲＯＭ（Read Only Memory） 、ＲＡＭ（Random Access Memory）、及びこれらを制御するＣＰＵ等を備えて構成されている。そして、スロットアンテナＳ１は、無線ＬＡＮやワイヤレスＵＳＢなどの用途に使用される。
【００３９】
スロットアンテナＳ１から例えばプリンタ等の外部機器に対して電波を送信する場合、装置本体部１１の制御部より供給されたデータは無線通信回路で変換され、スロットアンテナＳ１に供給される。一方、スロットアンテナＳ１が外部機器より電波を受信する場合、スロットアンテナＳ１により受信した電波は無線通信回路により変換され、装置本体部１１の制御部に供給される。 
【００４０】
次に、本実施形態の電子機器としてのノート型パソコン１０の通信動作について説明する。 所定の周波数の電波が外部機器より送信されると、この外部機器から送信された電波の偏波（垂直偏波／水平偏波）に応じて、水平偏波であればＺ方向スロットに高周波信号が誘起され、垂直偏波であればＸ方向スロットに高周波信号が誘起される。そして、この高周波信号は給電部から同軸ケーブルなどにより無線通信回路内の受信回路で処理され、復調されたデータがＣＰＵ等で処理される。
【００４１】
一方、スロットアンテナＳ１が電波を送信する場合、ＣＰＵ等の制御により無線通信回路内の送信回路で高周波信号が生成され、この高周波信号は同軸ケーブルなどを介して給電部からスロットアンテナＳ１に供給される。そして、スロットアンテナＳ１から外部機器に対して電波が送信される。この場合、Ｘ方向スロットからは垂直偏波の送信がなされ、Ｚ方向スロットからは水平偏波の送信がなされる。
【００４２】
この実施形態のノート型パソコン１０では、機器の導電性筐体もしくは導電性フレームの角部で直交する水平辺と垂直辺との２辺に、Ｌ字状に設けられたスロットで構成されるスロットアンテナＳ１を備えるため、水平辺部分のスロットでは垂直偏波に対応でき、垂直辺部分のスロットでは水平偏波に対応できる。また、電子機器の導電性筐体もしくは導電性フレームそのものにスロットを設けることで、筐体そのものがアンテナとなるため、部品点数や取り付け工数の増加の発生させることがない。この結果、１つのアンテナで水平偏波及び垂直偏波の両方に対応可能であり、部品点数や製造工数の増加を発生させることのないアンテナを備えた電子機器を提供することが可能になる。
【００４３】
なお、以上の実施形態の説明では、電子機器として、事務用電子機器のノート型パソコン１０を具体例にしてきたが、これに限定されるものではない。たとえば、事務用電子機器として、据え置き型パソコン、据え置き型パソコンのディスプレイ、複写機、医療用機器（医療用コンソールや医療用診断（治療）機器）など、各種の機器に、以上の実施形態を適用して良好な結果を得ることが可能になる。
【００４４】
〔第２実施形態〕
図４は、第２実施形態に係る電子機器としてのノート型パソコン２０を正面側からみた斜視図である。この第２実施形態のノート型パソコン２０では、蓋部２２の自由端と本体部２１の２つの角部に、それぞれスロットアンテナＳ１，Ｓ２が設けられている。
【００４５】
２つのスロットアンテナＳ１，Ｓ２のぞれぞれの基本的な構成は、第１実施形態のスロットアンテナＳ１と同様である。また、２つのスロットアンテナＳ１，Ｓ２が設けられている以外の構成の説明は、第１実施形態と同様なので省略する。 
【００４６】
図５は２つのスロットアンテナＳ１，Ｓ２の配置を例示した図であり、図５（ａ）はスロットアンテナＳ１の配置を拡大して示した図であり、図５（ｂ）はスロットアンテナＳ２の配置を拡大して示した図である。
【００４７】
ここで、この図４，図５（ａ）のスロットアンテナＳ１では、垂直辺に配置されたＺ方向スロット（Ｓ１ｚ）は水平偏波のアンテナとして作用するものである。そして、スロットアンテナＳ１の水平偏波のＸＹ平面（水平面）における指向性は、図６（ａ）に示すごとく略無指向性となっている。
【００４８】
また、この図４，図５（ｂ）のスロットアンテナＳ２では、水平辺に配置されたＸ方向スロット（Ｓ１ｘ）は垂直偏波のアンテナとして作用するものであり、水平辺に配置されたＹ方向スロット（Ｓ１ｙ）は垂直偏波のアンテナとして作用するものである。
【００４９】
そして、スロットアンテナＳ１のＸ方向スロットＳ１ｘによる垂直偏波はＹＺ平面には略無指向性であるが、他の機器と通信する際に有効なＸＹ平面（水平面）における指向性は、第１実施形態で図３（ｂ）に示したごとく、Ｙ方向に指向性を有し、Ｘ方向には感度を有しない状態になっている。
【００５０】
また、スロットアンテナＳ２のＸ方向スロットＳ２ｘによる垂直偏波はＹＺ平面には略無指向性であるが、他の機器と通信する際に有効なＸＹ平面（水平面）における指向性は、第１実施形態で図３（ｂ）に示したごとく、Ｙ方向に指向性を有し、Ｘ方向には感度を有しない状態になっている。
【００５１】
一方、スロットアンテナＳ２のＹ方向スロットＳ２ｙによる垂直偏波はＸＺ平面には略無指向性であるが、他の機器と通信する際に有効なＸＹ平面（水平面）における指向性は、第１実施形態で図３（ｂ）に示した指向性と９０度ずれた状態であり、Ｘ方向に指向性を有し、Ｙ方向には感度を有しない状態になっている。
【００５２】
よって、スロットアンテナＳ１のＸ方向スロットＳ１ｘと、スロットアンテナＳ２のＸ方向スロットＳ２ｘと、スロットアンテナＳ２のＹ方向スロットＳ２ｙと、による垂直偏波のＸＹ平面における合成指向性は、図６（ｂ）のようになっている。すなわち、Ｓ１ｘ，Ｓ２ｘ，Ｓ２ｙが互いに指向性を補い合って、大きな感度低下が生じない指向性になっている。
【００５３】
すなわち、２つのＬ字状のスロットアンテナＳ１，Ｓ２が互いに直交するスロットを有するように、すなわち、ＸＹＺ各方向にスロットを有するように配置することにより、互いの指向性のヌルを補いあうため、極端に大きなヌルが無くなり、ほぼ全方向に対して均一な指向性を示すようになる。また、２つの角部に２つのスロットアンテナＳ１，Ｓ２が配置されているため、設置状況に応じて発生する障害物等の影響を低減し高感度な特性を得ることができる。
【００５４】
従って、この第２実施形態のノート型パソコン２０では、電子機器の導電性筐体もしくは導電性フレームの角部の直交する２辺に設けられたスロットで構成される第一スロットアンテナＳ１と、前記第一スロットアンテナの２辺と直交する辺を有し、前記第一スロットアンテナの角部とは異なる導電性筐体もしくは前記導電性フレームの角部の直交する２辺に設けられたスロットで構成される第二スロットアンテナＳ２とを備えるため、Ｚ軸方向のスロットではＸＹ平面の無指向性の水平偏波に対応でき、Ｘ軸方向のスロットではＺＹ平面の垂直偏波に対応でき、Ｙ軸方向のスロットではＸＺ平面の垂直偏波に対応できる。
【００５５】
また、電子機器の導電性筐体もしくは導電性フレームそのものにスロットを設けることで、筐体そのものがアンテナとなるため、部品点数や取り付け工数の増加の発生させることがない。
【００５６】
この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【００５７】
また、該電子機器の使用状態において、第二スロットアンテナが設けられる角部は、少なくとも、第一スロットアンテナが設けられた角部における２辺と直交する辺を有するように構成されているため、機器使用状態において水平偏波及び垂直偏波の両方に対応しつつ各方向の無指向性を実現可能である。
【００５８】
なお、以上の第２実施形態の説明では、電子機器として、事務用電子機器のノート型パソコン２０を具体例にしてきたが、これに限定されるものではない。たとえば、事務用電子機器として、据え置き型パソコン、据え置き型パソコンのディスプレイ、複写機、医療用機器（医療用コンソールや医療用診断（治療）機器）など、各種の機器に、以上の実施形態を適用して良好な結果を得ることが可能になる。
【００５９】
〔第３実施形態〕
この第３実施形態では、電子機器として事務用電子機器の複写機３０を例示して説明する。図７は、本実施形態に係る電子機器としての複写機３０を示す全体図である。
【００６０】
この図７に示すように、複写機３０は、内部に画像形成部を備えた装置本体部３１を有している。装置本体部３１の上面には、画像読取部３２及び操作部３３が備えられており、装置本体部３１の上方には、原稿給送部（ＡＤＦ：Auto Document Feeder）３４が設置されている。また、装置本体部３１の下方には、給紙部３５が設置されている。
【００６１】
画像読取部３２は、ＣＣＤ（Charge Coupled Device）センサ、露光ランプ等を備えたスキャナを有しており、原稿給送部３４より搬送された原稿を光走査し、ＣＣＤセンサにより光電変換することで原稿画像を読み取る。
【００６２】
画像読取部３２により読み取られた原稿画像データには、各種画像処理が施され、プリント用画像データとして装置本体部３１内部の画像形成部に出力される。画像形成部は、電子写真方式の画像形成を行うものであり、給紙部から給紙された記録媒体である記録用紙に画像形成を行う。
【００６３】
また、操作部３３は、各種操作画面や設定内容等を表示する表示部３６、及び各種キーやプリント開始を指示するためのスタートボタン等を備えている。
原稿給送部３４は、原稿載置台３７に載置された原稿を自動的に画像読取部３２に搬送し、画像読取部３２により読取られた原稿を排出部３８へ搬送するものである。また、原稿給送部３４は、装置本体部３１の背面側を支点として、装置本体部３１の上面（画像読取部３２）に対して起倒可能に構成されている。原稿給送部３４の３箇所の角部には３つのスロットアンテナＳ１，Ｓ２，Ｓ３が設けられている。
【００６４】
また、装置本体部３１には、無線通信回路が内蔵されており、無線通信回路には３つのスロットアンテナＳ１，Ｓ２，Ｓ３が接続されている。
３つのスロットアンテナＳ１，Ｓ２，Ｓ３のぞれぞれの基本的な構成は、第１実施形態のスロットアンテナＳ１、第２実施形態のスロットアンテナＳ１，Ｓ２と同様である。
【００６５】
また、３つのスロットアンテナＳ１，Ｓ２，Ｓ３が設けられている以外の構成の説明は、第１実施形態、第２実施形態と同様なので省略する。
ここで、この図７のスロットアンテナＳ１では、垂直辺に配置されたＺ方向スロット（Ｓ１ｚ）は水平偏波のアンテナとして作用するものである。そして、スロットアンテナＳ１の水平偏波のＸＹ平面（水平面）における指向性は、図８（ａ）に示したごとく略無指向性となっている。
【００６６】
また、この図７のスロットアンテナＳ２では、水平辺に配置されたＸ方向スロット（Ｓ１ｘ）は垂直偏波のアンテナとして作用するものであり、水平辺に配置されたＹ方向スロット（Ｓ１ｙ）は垂直偏波のアンテナとして作用するものである。
【００６７】
そして、スロットアンテナＳ１のＸ方向スロットＳ１ｘによる垂直偏波はＹＺ平面には略無指向性であるが、他の機器と通信する際に有効なＸＹ平面（水平面）における指向性は、第１実施形態で図３（ｂ）に示したごとく、Ｙ方向に指向性を有し、Ｘ方向には感度を有しない状態になっている。
【００６８】
また、スロットアンテナＳ２のＸ方向スロットＳ２ｘによる垂直偏波はＹＺ平面には略無指向性であるが、他の機器と通信する際に有効なＸＹ平面（水平面）における指向性は、第１実施形態で図３（ｂ）に示したごとく、Ｙ方向に指向性を有し、Ｘ方向には感度を有しない状態になっている。
【００６９】
一方、スロットアンテナＳ２のＹ方向スロットＳ２ｙによる垂直偏波はＸＺ平面には略無指向性であるが、他の機器と通信する際に有効なＸＹ平面（水平面）における指向性は、第１実施形態で図３（ｂ）に示した指向性と９０度ずれた状態であり、Ｘ方向に指向性を有し、Ｙ方向には感度を有しない状態になっている。
【００７０】
さらに、この図７のスロットアンテナＳ３では、垂直辺に配置されたＺ方向スロット（Ｓ３ｚ）は水平偏波のアンテナとして作用するものであり、スロットアンテナＳ３の水平偏波のＸＹ平面（水平面）における指向性は、図６（ａ）に示したごとく略無指向性となっている。
【００７１】
また、水平辺に配置されたＹ方向スロット（Ｓ１ｙ）は垂直偏波のアンテナとして作用するものであり、スロットアンテナＳ３のＹ方向スロットＳ１ｙによる垂直偏波はＹＺ平面には略無指向性であるが、他の機器と通信する際に有効なＸＹ平面（水平面）における指向性は、第１実施形態で図３（ｂ）に示した指向性と９０度ずれた状態であり、Ｘ方向に指向性を有し、Ｙ方向には感度を有しない状態になっている。
【００７２】
よって、スロットアンテナＳ１のＸ方向スロットＳ１ｘと、スロットアンテナＳ２のＸ方向スロットＳ２ｘと、スロットアンテナＳ２のＹ方向スロットＳ２ｙと、スロットアンテナＳ３のＹ方向スロットＳ３ｙと、による垂直偏波のＸＹ平面における合成指向性は、図８（ｂ）のようになっている。
【００７３】
すなわち、Ｓ１ｘ，Ｓ２ｘ，Ｓ２ｙ，Ｓ３ｙが互いに指向性を補い合って、第２実施形態の場合よりも感度低下が少なくなり、略全方位に渡って大きな感度低下が生じない指向性になっている。
【００７４】
すなわち、２つのＬ字状のスロットアンテナＳ１，Ｓ２，Ｓ３が互いに直交するスロットを有するように、すなわち、ＸＹＺ各方向にスロットを有するように配置することにより、互いの指向性のヌルを補いあうため、極端に大きなヌルが無くなり、ほぼ全方向に対して均一な指向性を示すようになる。また、３つの角部に３つのスロットアンテナＳ１，Ｓ２，Ｓ３が配置されているため、設置状況に応じて発生する障害物等の影響を低減し高感度な特性を得ることができる。
【００７５】
また、図７に示す原稿給送部３４は自動給送を行うために閉じた状態であるが、原稿手動配置のために原稿給送部３４を自由端を引き上げて開いた状態としても、以上のスロットアンテナＳ１，Ｓ２，Ｓ３は、それぞれのスロットがＸＹＺの各方向に配置された状態であり、指向性は図８に示した通りの、略全方位無指向性を保った状態であり続ける。
【００７６】
従って、この第３実施形態の複写機３０では、電子機器の導電性筐体もしくは導電性フレームの角部の直交する２辺に設けられたスロットで構成され、互いに直交するスロットを有する第一スロットアンテナＳ１と、前記第一スロットアンテナの２辺と直交する辺を有し、前記第一スロットアンテナの角部とは異なる導電性筐体もしくは前記導電性フレームの角部の直交する２辺に設けられたスロットで構成される第二スロットアンテナＳ２と、前記第一・第二スロットアンテナの２辺と直交する辺を有し、前記第一・第二スロットアンテナの角部とは異なる導電性筐体もしくは前記導電性フレームの角部の直交する２辺に設けられたスロットで構成される第三スロットアンテナＳ３と、を備えるため、Ｚ軸方向のスロットではＸＹ平面の無指向性の水平偏波に対応でき、Ｘ軸方向のスロットではＺＹ平面の垂直偏波に対応でき、Ｙ軸方向のスロットではＸＺ平面の垂直偏波に対応できる。
【００７７】
また、電子機器の導電性筐体もしくは導電性フレームそのものにスロットを設けることで、筐体そのものがアンテナとなるため、部品点数や取り付け工数の増加の発生させることがない。
【００７８】
この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【００７９】
また、該電子機器の使用状態において、第二スロットアンテナが設けられる角部は、少なくとも、第一スロットアンテナが設けられた角部における２辺と直交する辺を有するように構成されているため、第三スロットアンテナが設けられる角部は、少なくとも、第一・第二スロットアンテナが設けられた角部における２辺と直交する辺を有するように構成されているため、機器使用状態において水平偏波及び垂直偏波の両方に対応しつつ各方向の無指向性を実現可能である。
【００８０】
なお、以上の第３実施形態の説明では、電子機器として、事務用電子機器の複写機３０を具体例にしてきたが、これに限定されるものではない。たとえば、事務用電子機器として、ノート型パソコン、据え置き型パソコン、据え置き型パソコンのディスプレイ、医療用機器（医療用コンソールや医療用診断（治療）機器）など、各種の機器に、以上の実施形態を適用して良好な結果を得ることが可能になる。
【００８１】
〔第４実施形態〕
この第４実施形態では、電子機器として医療用電子機器４０を例示して説明する。図９は、本実施形態に係る電子機器としての医療用電子機器４０を示す全体図である。
【００８２】
この図９に示すように、医療用電子機器４０は、内部に各種処理部を備えた装置本体部４１を有している。装置本体部４１の上面には、操作部４４と表示部４２とが設置されている。
【００８３】
ここでは、表示部４２の３箇所の角部には３つのスロットアンテナＳ１，Ｓ２，Ｓ３が設けられている。
また、装置本体部４１には、無線通信回路が内蔵されており、無線通信回路には３つのスロットアンテナＳ１，Ｓ２，Ｓ３が接続されている。
【００８４】
３つのスロットアンテナＳ１，Ｓ２，Ｓ３のぞれぞれの基本的な構成は、第３実施形態のスロットアンテナＳ１，Ｓ２，Ｓ３と同様である。また、３つのスロットアンテナＳ１，Ｓ２，Ｓ３が設けられている以外の構成の説明は、第１実施形態、第２実施形態、第２実施形態と同様なので省略する。
【００８５】
ここで、この図９のスロットアンテナＳ１では、垂直辺に配置されたＺ方向スロット（Ｓ１ｚ）は水平偏波のアンテナとして作用するものである。そして、スロットアンテナＳ１の水平偏波のＸＹ平面（水平面）における指向性は、図８（ａ）に示したごとく略無指向性となっている。
【００８６】
また、この図９のスロットアンテナＳ２では、水平辺に配置されたＸ方向スロット（Ｓ１ｘ）は垂直偏波のアンテナとして作用するものであり、水平辺に配置されたＹ方向スロット（Ｓ１ｙ）は垂直偏波のアンテナとして作用するものである。
【００８７】
そして、スロットアンテナＳ１のＸ方向スロットＳ１ｘによる垂直偏波はＹＺ平面には略無指向性であるが、他の機器と通信する際に有効なＸＹ平面（水平面）における指向性は、第１実施形態で図３（ｂ）に示したごとく、Ｙ方向に指向性を有し、Ｘ方向には感度を有しない状態になっている。
【００８８】
また、スロットアンテナＳ２のＸ方向スロットＳ２ｘによる垂直偏波はＹＺ平面には略無指向性であるが、他の機器と通信する際に有効なＸＹ平面（水平面）における指向性は、第１実施形態で図３（ｂ）に示したごとく、Ｙ方向に指向性を有し、Ｘ方向には感度を有しない状態になっている。
【００８９】
一方、スロットアンテナＳ２のＹ方向スロットＳ２ｙによる垂直偏波はＸＺ平面には略無指向性であるが、他の機器と通信する際に有効なＸＹ平面（水平面）における指向性は、第１実施形態で図３（ｂ）に示した指向性と９０度ずれた状態であり、Ｘ方向に指向性を有し、Ｙ方向には感度を有しない状態になっている。
【００９０】
また、この図９のスロットアンテナＳ３では、垂直辺に配置されたＺ方向スロット（Ｓ３ｚ）は水平偏波のアンテナとして作用するものであり、スロットアンテナＳ３の水平偏波のＸＹ平面（水平面）における指向性は、図６（ａ）に示したごとく略無指向性となっている。
【００９１】
また、水平辺に配置されたＹ方向スロット（Ｓ１ｙ）は垂直偏波のアンテナとして作用するものであり、スロットアンテナＳ３のＹ方向スロットＳ１ｙによる垂直偏波はＹＺ平面には略無指向性であるが、他の機器と通信する際に有効なＸＹ平面（水平面）における指向性は、第１実施形態で図３（ｂ）に示した指向性と９０度ずれた状態であり、Ｘ方向に指向性を有し、Ｙ方向には感度を有しない状態になっている。
【００９２】
よって、スロットアンテナＳ１のＸ方向スロットＳ１ｘと、スロットアンテナＳ２のＸ方向スロットＳ２ｘと、スロットアンテナＳ２のＹ方向スロットＳ２ｙと、スロットアンテナＳ３のＹ方向スロットＳ３ｙと、による垂直偏波のＸＹ平面における合成指向性は、図８（ｂ）のようになっている。
【００９３】
すなわち、Ｓ１ｘ，Ｓ２ｘ，Ｓ２ｙ，Ｓ３ｙが互いに指向性を補い合って、第２実施形態の場合よりも感度低下が少なくなり、第３実施形態と同様に、略全方位に渡って大きな感度低下が生じない指向性になっている。
【００９４】
すなわち、２つのＬ字状のスロットアンテナＳ１，Ｓ２，Ｓ３が互いに直交するスロットを有するように、すなわち、ＸＹＺ各方向にスロットを有するように配置することにより、互いの指向性のヌルを補いあうため、極端に大きなヌルが無くなり、ほぼ全方向に対して均一な指向性を示すようになる。また、３つの角部に３つのスロットアンテナＳ１，Ｓ２，Ｓ３が配置されているため、設置状況に応じて発生する障害物等の影響を低減し高感度な特性を得ることができる。
【００９５】
また、図９に示す表示部４２は固定された状態であるが、向きを変えられる液晶ディスプレイである場合にも、以上のスロットアンテナＳ１，Ｓ２，Ｓ３は、それぞれのスロットがＸＹＺの各方向に配置された状態であり、指向性は図８に示した通りの、略全方位無指向性を保った状態であり続ける。
【００９６】
従って、この第４実施形態の医療用電子機器４０では、電子機器の導電性筐体もしくは導電性フレームの角部の直交する２辺に設けられたスロットで構成され、互いに直交するスロットを有する第一スロットアンテナＳ１と、前記第一スロットアンテナの２辺と直交する辺を有し、前記第一スロットアンテナの角部とは異なる導電性筐体もしくは前記導電性フレームの角部の直交する２辺に設けられたスロットで構成される第二スロットアンテナＳ２と、前記第一・第二スロットアンテナの２辺と直交する辺を有し、前記第一・第二スロットアンテナの角部とは異なる導電性筐体もしくは前記導電性フレームの角部の直交する２辺に設けられたスロットで構成される第三スロットアンテナＳ３と、を備えるため、Ｚ軸方向のスロットではＸＹ平面の無指向性の水平偏波に対応でき、Ｘ軸方向のスロットではＺＹ平面の垂直偏波に対応でき、Ｙ軸方向のスロットではＸＺ平面の垂直偏波に対応できる。
【００９７】
また、電子機器の導電性筐体もしくは導電性フレームそのものにスロットを設けることで、筐体そのものがアンテナとなるため、部品点数や取り付け工数の増加の発生させることがない。
【００９８】
この結果、最低限の素子で水平偏波及び垂直偏波の両方に対応しつつ、各方向の無指向性を実現可能であり、部品点数や製造工数の増加を発生させることのないアンテナを備えた電子機器を提供することが可能になる。
【００９９】
また、該電子機器の使用状態において、第二スロットアンテナが設けられる角部は、少なくとも、第一スロットアンテナが設けられた角部における２辺と直交する辺を有するように構成されているため、第三スロットアンテナが設けられる角部は、少なくとも、第一・第二スロットアンテナが設けられた角部における２辺と直交する辺を有するように構成されているため、機器使用状態において水平偏波及び垂直偏波の両方に対応しつつ各方向の無指向性を実現可能である。
【０１００】
なお、以上の第４実施形態の説明では、電子機器として、医療用コンソールなどの医療用電子機器４０を具体例にしてきたが、これに限定されるものではない。たとえば、他の医療用機器（医療用診断（治療）機器）、コンピュータサーバなど、各種の機器に、以上の実施形態を適用して良好な結果を得ることが可能になる。
【０１０１】
〔その他の実施形態(1)〕
なお、電子機器の導電性の筐体に形成するスロットアンテナの数やその設置箇所は、必要に応じて設定されるものである。
【０１０２】
〔その他の実施形態(2)〕
なお、電子機器の導電性の筐体に形成するスロットアンテナの、同じ軸方向のエレメント、Ｓ１ｚとＳ３ｚ、Ｓ１ｘとＳ２ｘなどについて、電子機器において離れた角部、本体部やディスプレイ部などの異なる部位の角部、などに配置するように各スロットアンテナＳ１〜Ｓ３を配置することで、空間ダイバシティ効果により、感度や指向性を補い合って、良好な結果を得ることができる。
【０１０３】
〔その他の実施形態(3)〕
また、Ｓ１ｚやＳ３ｚなど同じ垂直ｚ方向のスロットであっても、電子機器の左右に分かれるように各スロットアンテナＳ１〜Ｓ３を配置することで、電子機器本体に隠れない（遮られない）自由空間が異なる方向に開けるようになるため、空間ダイバシティ効果により、感度や指向性を補い合って、良好な結果を得ることができる。
【符号の説明】
【０１０４】
Ｓ１〜Ｓ３  スロットアンテナ
１０ ノート型パソコン
１１ 装置本体部
１２ 蓋部
１３ ヒンジ部
１４ キーボード
２０  ノート型パソコン
３０  複写機
４０  医療用電子機器
【図１】
2010187107.tif 000003
【図２】
2010187107.tif 000004
【図３】
2010187107.tif 000005
【図４】
2010187107.tif 000006
【図５】
2010187107.tif 000007
【図６】
2010187107.tif 000008
【図７】
2010187107.tif 000009
【図８】
2010187107.tif 000010
【図９】
2010187107.tif 000011